(57)【要約】【課題】簡単な構造で洗剤容器と摺洗体とが組み合わされ、かつ十分な摺洗力を発揮しうる洗剤容器付摺洗具を提供する。【解決手段】洗剤容器付摺洗具３は、摺洗体７０と、この摺洗体７０に取り付けられ、洗剤容器１１を有する把持部１０と、前記洗剤容器１１から洗剤を吐出させるディスペンサー２０とを備えることを特徴とする。また、把持部１０と摺洗体７０とは凸部１４と凹部７４の嵌合構造によって着脱可能に連結される。【選択図】    図１２
2005006701.tif 000002
【特許請求の範囲】
【請求項１】
摺洗体と、この摺洗体に取り付けられ、洗剤容器を有する把持部と、前記洗剤容器から洗剤を吐出させるディスペンサーとを備えることを特徴とする洗剤容器付摺洗具。
【請求項２】
前記把持部は摺洗体に着脱可能に連結される請求項１に記載の洗剤容器付摺洗具。
【請求項３】
前記把持部と摺洗体とは、凸部と凹部とによる嵌合構造によって着脱可能となされている請求項２に記載の洗剤容器付摺洗具。
【請求項４】
前記把持部と摺洗体とは、面ファスナーによって着脱可能となされている請求項２に記載の洗剤容器付摺洗具。
【請求項５】
前把持部は、該把持部を受ける台座を介して摺洗体に取り付けられている請求項１に記載の洗剤容器付摺洗具。
【請求項６】
前記把持部と台座とは着脱可能に連結される請求項５に記載の洗剤容器付摺洗具
【請求項７】
前記把持部と台座とは、凸部と凹部とによる嵌合構造によって着脱可能となされている請求項６に記載の洗剤容器付摺洗具。
【請求項８】
前記台座と摺洗体とは着脱可能に連結される請求項５〜７のいずれか１項に記載の洗剤容器付摺洗具。
【請求項９】
前記台座と摺洗体とは、両端に係止用フランジが形成された係止用部材を用い、一方のフランジを前記台座に形成された孔に抜け止め状態に挿入し、他方のフランジを前記摺洗体に形成された孔に抜け止め状態に挿入することにより着脱可能となされている請求項８に記載の洗剤容器付摺洗具。
【請求項１０】
前記台座の上面に把持部を填め込む凹陥部が形成されている請求項１〜９のいずれか１項に記載の洗剤容器付摺洗具。
【請求項１１】
前記ディスペンサーの吐出口は、前記摺洗体の外周方向に向かって設けられている１〜１０のいずれか１項に記載の洗剤容器付摺洗具。
【請求項１２】
前記ディスペンサーは頭部の押し込みによって洗剤容器内を加圧し、洗剤を吐出させるプッシュ式である請求項１〜１１のいずれか１項に記載の洗剤容器付摺洗具。
【請求項１３】
前記把持部に把手が設けられている請求項１〜１２のいずれか１項に記載の洗剤容器付摺洗具。
【発明の詳細な説明】
【０００１】
【発明の属する技術分野】
この発明は、各種器物、家屋内外の壁面、車両等の摺り洗い洗浄に用いる洗剤容器付摺洗具に関する。
【０００２】
【従来の技術】
スポンジやブラシ等の摺洗具によって摺り洗いする際、洗剤を被洗浄面に直接塗布したり摺洗具に含ませて用いるのが一般的な洗浄方法である。また洗剤を使用する時には、手に持った摺洗具を洗剤容器に持ち替えるか、他方の手で洗剤を摺洗具に滴下するのが一般的である。しかし、この間洗浄作業が中断するため作業効率が悪くなる。
【０００３】
このため、スポンジやブラシ等の摺洗具と洗剤容器とを一体化させた摺洗具が提案されている（例えば、特許文献１，２参照）。
【０００４】
特許文献１に記載されている摺洗具は、柄付きたわしに洗剤容器を付加したものであって、柄に支持させた洗剤供給管の一端を洗剤容器に接続するとともに、他端をたわし本体を導いて開口させたものである。これにより、洗剤容器から押し出した洗剤をたわし本体に含ませながら摺り洗い作業を行えるといるものである。また、たわし本体と洗剤容器とが離れているため、洗剤容器の寸法に制限がなく大容量の洗剤容器の組み込みが可能であり、多数の被洗浄物を効率良く洗浄できる。
【０００５】
特許文献２に記載されている摺洗具は、樹脂体からなるたわし本体を直接握って摺洗するタイプのものであり、たわし本体に２つの洗剤タンクが内蔵されるとともに、該タンク間ににバネで開閉する栓が設けられ、さらに一方のタンクにたわし本体に開口する開閉弁が設けられている。そして、タンクを押圧して栓を開き、次いで開閉弁を開いて洗剤をたわしに放出するというものである。
【０００６】
【特許文献１】
特開平８−１４０８９７号公報
【０００７】
【特許文献２】
特開平９−４８２号公報
【０００８】
【発明が解決しようとする課題】
しかしながら、特許文献１に記載された摺洗具は、洗剤供給管を支持する柄が必要であり、かつ別途洗剤容器が必要となるため、全体に寸法が大きくなり、食器洗浄や家庭内の浴室洗浄といった細かい部分の洗浄には適さない。
【０００９】
また、特許文献２の摺洗具は、摺洗具全体を握って使用するものであって全体寸法が制限されるため、２つの洗剤タンク、栓、開閉弁、バネといった多数の部材を内蔵させると、必然的に摺洗に供される樹脂体が小さくなる。このため、樹脂体の保水力が小さく泡立ちも悪いため、十分な洗浄効果を期待できない。また、樹脂体の体積が小さいために摩耗が早く、摺洗具全体の寿命が短いという問題点もある。さらに、手荒れ防止のために、洗剤が直接手に触れない構造の摺洗具への要望もある。
【００１０】
本発明は、上述した現状に鑑み、簡単な構造で洗剤容器と摺洗体とが組み合わされ、かつ十分な摺洗力を発揮しうる洗剤容器付摺洗具の提供を目的とする。
【００１１】
【課題を解決するための手段】
前記目的を達成するために、本発明の洗剤容器付摺洗具は、摺洗体と、この摺洗体に取り付けられ、洗剤容器を有する把持部と、前記洗剤容器から洗剤を吐出させるディスペンサーとを備えることを特徴とする。
【００１２】
また、前記把持部は摺洗体に着脱可能に連結されることが好ましい。
【００１３】
例えば、前記把持部と摺洗体とは、凸部と凹部とによる嵌合構造によって着脱可能となされる。また、前記把持部と摺洗体とは、面ファスナーによって着脱可能となされる。
【００１４】
また、前把持部は、該把持部を受ける台座を介して摺洗体に取り付けられていることが好ましい。
【００１５】
さらに、前記把持部と台座とは着脱可能に連結されることが好ましい。
【００１６】
例えば、前記把持部と台座とは、凸部と凹部とによる嵌合構造によって着脱可能となされる。
【００１７】
また、前記台座と摺洗体とは着脱可能に連結されることが好ましい。
【００１８】
例えば、前記台座と摺洗体とは、両端に係止用フランジが形成された係止用部材を用い、一方のフランジを前記台座に形成された孔に抜け止め状態に挿入し、他方のフランジを前記摺洗体に形成された孔に抜け止め状態に挿入することにより着脱可能となされる。
【００１９】
また、前記台座の上面に把持部を填め込む凹陥部が形成されていることが好ましい。
【００２０】
前記ディスペンサーの吐出口は、前記摺洗体の外周方向に向かって設けられていることが好ましい。
【００２１】
また、前記ディスペンサーは頭部の押し込みによって洗剤容器内を加圧し、洗剤を吐出させるプッシュ式であることが好ましい。
【００２２】
また、前記把持部に把手が設けられていることが好ましい。
【００２３】
【発明の実施の形態】
〔第１実施形態〕
図１〜６に示す洗剤容器付摺洗具（１）は、把持部（１０）、台座（３０）および摺洗体（５０）から構成され、それぞれ着脱自在に連結されている。
【００２４】
図１および図２に示すように、把持部（１０）は、舟形の洗剤容器（１１）の上面に連続してアーチ型の把手（１２）が一体成形された薄肉の樹脂成形品である。把手（１２）は中空で、その中空部（１３）は洗剤容器（１１）に連通している。また、洗剤容器（１１）の底面には台座（３０）に連結するための２個の突起（１４）（１４）が突設されている。これらの突起（１４）（１４）は、断面円形の軸部（１５）の先端に径大半球形の頭部（１６）を有する中空体であり、把手（１２）と同様にその中空部（１７）は洗剤容器（１１）内部に連通するものである。従って、洗剤容器（１１）の内部、把手（１２）の中空部（１３）および突起（１４）（１４）の中空部（１７）（１７）は互いに連通し、洗剤充填用の空間を共有するものである。
【００２５】
ディスペンサー（２０）は、前記洗剤容器（１１）の長手方向の一端に設けられた洗剤供給口（１８）にねじ止めにより装着されるプッシュ式ディスペンサーである。前記ディスペンサー（２０）において、頭部（２１）を押下げて洗剤容器（１１）の内部を加圧すると、液中に挿入したチューブ（２２）から液が押し上げられ、頭部（２１）の周面に開口する吐出口（２３）から噴霧される。前記吐出口（２３）は摺洗体（５０）の外周方向に向かって開口し、洗剤は摺洗体（５０）の外方に向かって噴霧される。
【００２６】
図２および図３（Ａ）（Ｂ）（Ｃ）に示すように、台座（３０）は、前記洗剤容器（１１）の底面形状に対応する舟形の基板（３１）が堤状の周縁部（３２）に囲まれ、上面側に凹陥部（３３）が形成された硬質樹脂成形品である。前記基板（３１）に、前記把持体（１０）を連結する２つの第１係止部（３４）（３４）、上面リブ（４０）、下面リブ（４１）および前記摺洗体（５０）を連結する２つの第２係止部（４３）（４３）が設けられている。
【００２７】
前記第１係止部（３４）は、基板（３１）の上面側、即ち凹陥部（３３）内に嵌合用空間（３５）を隔てて立設され、互いに離反する方向に撓む１対の係止用ばね片（３６）（３６）からなる。各係止用ばね片（３６）は、先端側に内方に段付状に突出する係止爪（３７）が形成されている。前記係止爪（３７）の対向面（３８）は前記突起（１４）の軸部（１５）の外周面に対応する円弧面に形成されている。
【００２８】
前記上面リブ（４０）は井の字形であり、前記第１係止部（３４）と同様に基板（３１）の上面側、即ち凹陥部（３３）内に周縁部（３２）よりも低く立設されている。前記上面リブ（４０）は、台座（３０）の強度を向上させるとともに、前記把持部（１０）との連結状態において前記洗剤容器（１１）の底面に当接して把持部（１０）を支持するものとなされている。
【００２９】
前記下面リブ（４１）は、基板（３１）の下面側に突設された多数の突出片である。下面リブ（４１）は、前記摺洗体（５０）との連結状態において、該摺洗体（５０）に食い込んで台座（３０）とのずれを防止するものである。また、図３（Ｃ）において（４２）は周縁部（３２）の強度向上を目的として設けられたリブである。
【００３０】
前記第２係止部（４３）は、基板（３１）の幅方向の中心線上に２つ設けられ、基板（３１）の上面から若干突出して形成されている。前記第２係止部（４３）は、中心に係止孔（４４）が穿設されているとともに、この係止孔（４４）を中心として１０本の切り込み（４５）が放射状に穿設されている。これらの切り込み（４５）によって形成される概略二等辺三角形の１０片の舌状片（４６）は、先端側で上下のいずれの方向にも撓み、かつ復元するものとなされている。
【００３１】
なお、図２において（５５）は摺洗体（５０）を台座（３０）に連結させるための係止用部材であり、説明の便宜上、１つの第２係止部（４３）に対してのみ連結状態を図示したものである。
【００３２】
図４に示すように、摺洗体（５０）は、保水力の大きい樹脂発泡体（５１）と摺洗効果の高い不織布（５２）とを貼り合わせて概略直方体に裁断し成形たものである。前記摺洗具体（５０）の幅方向の中心線上には、前記台座（３０）の２つの第２係止部（４３）の対応位置に取り付け用孔（５３）（５３）が穿設されている。また、台座（３０）と摺洗体（５０）の連結は係止用部材（５５）を介して行われる。係止用部材（５５）は、断面円形の軸部（５６）の両端に径大半球形の上フランジ（５７）および径大円盤形の下フランジ（５８）が一体に設けられている。前記軸部（５６）は、台座（３０）の第２係止部（４３）の係止孔（４４）に挿入できる直径に形成され、上下フランジ（５７）（５８）は係止孔（４４）よりも大きく形成されている。
【００３３】
次に、上述した把持部（１０）、台座（３０）および摺洗体（５０）の各部材の連結方法について説明する。
【００３４】
前記摺洗体（５０）を台座（３０）に連結するために、まず図５に示すように、摺洗体（５０）の各取り付け用孔（５３）に係止用部材（５５）を挿入し、上下フランジ（５７）（５８）が摺洗体（５０）の上下面から抜け出した状態に装着する。上下フランジ（５７）（５８）の径は取り付け用孔（５３）の孔径より大きいが、摺洗体（５０）は樹脂発泡体（５１）および不織布（５２）であるから容易に変形して孔形状に融通が利くため、上フランジ（５７）または下フランジ（５８）を押し込んで挿通させることができ、かつ挿通後は両側で抜け止め状態となる。また軸部（５６）は摺洗体（５０）の厚さよりも短いために、取り付け用孔（５３）の周りが圧縮されて下フランジ（５８）が摺洗体（５０）の摺洗面から上がった位置に装着される。このため、係止用部材（５５）が被洗浄物を擦って傷つけることが回避される。
【００３５】
次に、台座（３０）の下側から摺洗体（５０）を接近させ、第２係止部（４３）に係止用部材（５５）を係合させる。係合は、係止用部材（５５）の上フランジ（５７）で第２係止部（４３）の舌状片（４６）を押し上げて撓ませ、係止孔（４４）を拡大し、さらに撓ませて上フランジ（５７）を挿通させることによって行う。挿通後は、図２および図６に示すように、舌状片（４６）が復元して係止孔（４４）内に軸部（５６）が納まり、抜け止め状態に連結される。
【００３６】
また、台座（３０）から摺洗体（５０）を外す場合は、摺洗体（５０）とともに係止用部材（５５）を下方に引っ張る。これにより、係止用部材（５５）の上フランジ（５７）が第２係止部（４３）の舌状片（４６）を下方に撓ませて係止孔（４４）を拡大させ、上フランジ（５７）が引き抜かれる。
【００３７】
前記把持部（１０）と台座（３０）とは、洗剤容器（１１）の底面の突起（１４）と台座（３０）の第１係止部（３４）によって連結される。図２および図７に示すように、突起（１４）を第１係止部（３４）の嵌合用空間（３５）内に押し込むと、係止用ばね片（３６）（３６）が離反する方向に撓んで嵌合用空間（３５）が拡大されて、突起（１４）の頭部（１６）が係止爪（３７）よりも下方に進入する。さらに、突起（１４）を押し込んで頭部（１６）が係止爪（３７）を通過すると、係止用ばね片（３６）（３６）が復元し、嵌合用空間（３５）が元どおりに縮小されるとともに頭部（１６）の係止面（１６ａ）と係止爪（３７）の係止面（３７ａ）とが当接して抜け止め状態に連結され、かつ２つの係止爪（３７）（３７）の対向面（３８）（３８）が突起（１４）の軸（１５）を挟み付け、より安定した連結状態が得られる。また、この連結状態において、洗剤容器（１１）は凹陥部（３３）内に填り込んでいるため、洗剤容器（１１）は台座（３０）の周縁部（３２）に拘束されて水平方向のずれが抑制される。また、洗剤容器（１１）の底面は上面リブ（４０）によって支持されているため、突起（１４）の過剰な嵌入が防止されて上下方向のずれが抑制される。これらの両方向における拘束によって、さらに安定した連結状態が得られる。
【００３８】
逆に、台座（３０）から把持部（１０）を強く引っ張ると、突起（１４）の頭部（１６）が係止用ばね片（３６）（３６）を離反させる方向に撓ませ、嵌合用空間（３５）が拡大して頭部（１６）が抜け、把持部（１０）と台座（３０）の連結が解除される。
〔第２実施形態〕
図８〜１０に示す洗剤容器付摺洗具（２）は、把持部（１０）および摺洗体（６０）で構成され、これらが着脱自在に連結されている。
【００３９】
前記把持部（１０）は第１実施形態のものと同一である。
【００４０】
前記摺洗体（６０）において、硬質樹脂成形品からなる基体部（６１）は、洗剤容器（１１）の底面形状に対応する舟形の基板（６２）が堤状の周縁部（６３）に囲まれて、上面側に凹陥部（６４）が形成されたものである。また、前記基板（６２）は上面が幅方向の中心に向かって低くなる傾斜面で形成され、かつ最も低い中心線上であって把持部（１０）の突起（１４）の対応位置に２つの貫通孔（６５）（６５）が設けられている。前記貫通孔（６５）の孔径は把持部（１０）の突起（１４）の軸部（１５）に対応し、かつ頭部（１６）よりも小さく形成されている。また、前記基板（６２）の上面が傾斜していることで水が中心方向に流れ、貫通孔（６５）が排水孔としても機能する。一方、前記基板（６２）の下面においては、前記貫通孔（６５）の周りに凹部（６６）が形成され、その他の部分には多数のブラシ繊維（６７）が植毛されている。
【００４１】
図１０に示すように、前記把持部（１０）と摺洗体（６０）との連結は、把持部（１０）の２つの突起（１４）（１４）を摺洗体（６０）の貫通孔（６５）（６５）に嵌合させることによって行う。把持部（１０）が薄肉樹脂による中空体であり、中実で硬質樹脂成形品である基体部（６１）よりも柔らかいため、突起（１４）を貫通孔（６５）に押し込むと頭部（１６）は若干変形しつつ貫通孔（６５）を通り抜けることができる。また、頭部（１６）が通り抜けた後は、頭部（１６）が凹部（６６）内に納まって抜け止め状態となる。また、この連結状態において、洗剤容器（１１）は凹陥部（６４）内に填り込んでいるため、洗剤容器（１１）は基体部（６１）の周縁部（６３）に拘束されて水平方向のずれが抑制される。
【００４２】
逆に、基体部（６１）から把持部（１０）を強く引っ張ると、突起（１４）の頭部（１６）が変形しつつ貫通孔（６５）から抜け、把持部（１０）と摺洗体（６０）の連結が解除される。
【００４３】
なお、前記基体部（６１）はブラシ繊維を植毛するために不可欠であり摺洗体（６０）の一部であるが、その一方で把持部（１０）が填り込む凹陥部（６４）が形成されて、本発明における台座としての機能を有するものである。従って、本実施形態における基体部（６１）は摺洗体と台座とが一体化したものである。
〔第３実施形態〕
図１１〜１３に示す洗剤容器付摺洗具（３）は、把持部（１０）および摺洗体（７０）で構成され、これらが着脱自在に連結されている。
【００４４】
前記把持部（１０）は第１実施形態のものと同一である。
【００４５】
前記摺洗体（７０）は、異なる３種類の素材を張り合わせたものであり、把持部（１０）側から順に、ほとんど伸縮性のないシート地（７１）、低発泡度の硬質発泡体（７２）、高発泡度の軟質発泡体（７３）が配置されている。前記硬質発泡体は（７２）、摺洗の押圧時にも押し潰されることなく摺洗体（７０）の厚さを確保し、把持部（１０）の突起（１４）が被摺洗物を擦らないように、突起（１４）の長さに対応する厚さに形成されている。軟質発泡体（７３）は摺洗に要する保水力を確保するためにやや厚く形成されている。前記シート地（７１）は、硬質発泡体（７２）の型くずれを防ぐものである。また、前記摺洗体（７０）において、把持部（１０）の突起（１４）の対応位置に、２つの貫通孔（７４）（７４）が穿設され、さらにそれぞれの貫通孔（７４）（７４）を中心とする４本の切り込み（７５）が放射状に形成されている。前記貫通孔（７４）の孔径は突起（１４）の軸部（１５）径に対応する。
【００４６】
図１２および図１３に示すように、前記把持部（１０）と摺洗体（７０）との連結は、把持部（１０）の２つの突起（１４）（１４）を摺洗体（７０）の貫通孔（７３）（７３）に嵌合させることによって行う。前記突起（１４）を貫通孔（７３）に押し込むと頭部（１６）が切り込み（７４）を開き、硬質発泡体（７２）を変形させながら孔（７５）内に挿入される。そして、突起（１４）の挿入後は、切り込み（７５）が閉じるとともに硬質発泡体（７２）がその復元力によって突起（１４）を拘束し、抜け止め状態となる。
【００４７】
逆に、摺洗体（７０）から把持部（１０）を強く引っ張ると、突起（１４）の頭部（１６）が切り込みを開いて貫通孔（７３）から抜け、把持部（１０）と摺洗体（７０）の連結が解除される。
【００４８】
前記容器付摺洗具（３）においては、把持体（１０）と摺洗体（７０）とを台座を介さず直接連結させたものであり、部材数が少なく軽量である点で有利である。また、把持体（１０）と摺洗体（７０）との連結安定性や摺洗時のずれ防止は、摺洗体（７０）の把持部（１０）側に硬質発泡体（７１）を用いることによって達成される。前記硬質発泡体（７１）は、突起（１４）を押し込める程度に変形可能な柔軟性を有しながら、突起（１４）を拘束する硬さを有している。また、突起（１４）の脱着反復によって生じる硬質発泡体（７２）の型くずれ、例えば永久変形による孔（７４）の拡大は、ほとんど伸縮しないシート地（７１）を付加することによって防止でき、長期間安定した連結力を得ることができる。
【００４９】
上述した各洗剤容器付摺洗具（１）（２）（３）は、把手（１２）を握り持ち、必要に応じて指でディスペンサー（２０）の頭部（２１）を押し下げて摺洗体（５０）（６０）（７０）の前方に洗剤を噴霧しながら摺洗する。洗剤容器と摺洗具を持ち替える必要がないので、作業を速く行える。摺洗および洗剤噴霧は水平面から垂直面までいかなる角度でも自在に行え、かつ洗剤に触れずに摺洗できる。握る位置は把持部（１０）であるから、摺洗体（５０）（６０）（７０）の寸法に制限がなく手で握ることができない大きなものでも組み合わせることができ、多様な被洗浄物の摺洗に応用できる。また、ディスペンサー（２０）の吐出口（２３）が摺洗体（５０）に外周方向に向かって設けられているため、洗剤を噴霧したところを直ちに摺洗することができ、作業性が良い。
【００５０】
また、洗剤容器（１１）を有する把持部（１０）と摺洗体（５０）（６０）（７０）の連結を解除し、それぞれ単独で使用することもできるから、嵩高い連結状態では届かないような狭い場所、例えば蛇口周辺等の摺洗も支障なく行える。一つの把持部に対して摺洗素材や大きさの異なる複数種の摺洗体を用意し、摺洗体を取り替えて使用することもできる。また、使用後に連結を解除しておけば速やかに乾燥するから、清潔状態を保つことができる。また、摺洗体（５０）（６０）（７０）が摩耗した場合は摺洗体のみを取り替えれば良い。また、台座（３０）を介装させることによって、連結方法の選択肢が広がりまた、把持部のずれを抑制する凹陥部を設けるといった機能の追加や加工が容易となる。
【００５１】
本発明の洗剤容器付摺洗具は、上述した３つの実施形態に限定されない。
【００５２】
把持部において、ディスペンサーは、頭部を押し込むプッシュ式の他、引き金を引くトリガー式式のものも用いることができる。プッシュ式はコンパクトである点が有利であり、トリガー式は噴射力が強い点で有利である。またこれらの他、軟質の容器に先細りのノズルを装着し、容器の押圧によって洗剤を吐出させるような単純なものも本発明に含まれる。また、洗剤の吐出方向も限定されず、摺洗体内または摺洗体に向かって吐出し、洗剤を摺洗体に含ませるようにすることもできる。
【００５３】
また、把持部は、把手の有無や把手の形状を問わない。把手を設けることによって握って力を入れやすくなり、摺洗の作業性を向上させることができる。また、把手を設けると洗剤容器を直接握る必要がないから、洗剤容器の大きさが制限されない。また、取り外し可能な把手も本発明に含まれる。
【００５４】
台座の有無は問わないが、台座を介装することによって、把持部のずれ防止のための周縁部等といった付加機能の追加が容易であり、また多様な連結方法を選択することができる。
【００５５】
摺洗体における摺洗素材は、例示した樹脂発泡体、不織布、植毛ブラシの他、金属カールたわし、樹脂発泡体や不織布からなる基材に砥粒を付着させたもの等任意のものを用いることができる。また、第１および第３実施形態のように異なる摺洗素材を複合させることもできる。
【００５６】
把持部と摺洗体、あるいは台座は互いに着脱可能なものの他、固着したものも本発明に含まれる。固着の方法は接着、熱融着、ビス止め等を例示できる。
【００５７】
また、連結方法も限定されない。図示例の突起（１４）の第１係止部（３４）の嵌合用空間（３５）への嵌合、突起（１４）の貫通孔（６５）（６５）への嵌合といった凸部と凹部の嵌合構造、両端にフランジが形成された係止用部材（５５）の孔（４４）（５３）への挿入によるものの他、面ファスナーを用いることもできる。また、連結方法と連結位置との組み合わせも任意に選択でき、突起（１４）等の連結用部材数も任意である。また、凸部と凹部による嵌合構造の場合、凸部と凹部の形成位置が本実施形態とは逆に、台座または摺洗体に凸部を設け、把持部に凹部を設けたものも本発明に含まれる。さらに、摺洗体（５０）（７０）において、取り付け孔（５３）や貫通孔（７４）は摺洗素材を切り欠かずにスリット状に切り込むだけでも良い。例えば孔を十字形の切り込みに代えることによっても係止用部材（５５）または突起（１４）を抜け止め状態に装着することができる。摺洗素材として樹脂発泡体や不織布のように柔らかく融通の利くものを用いた場合は、係止用部材（５５）または突起（１４）の挿入によって素材が変形し、実質的に係止用部材や突起を挿入するための孔が形成されるからである。
【００５８】
【発明の効果】
以上説明したように、本発明の洗剤容器付摺洗具は、摺洗体と、この摺洗体に取り付けられ、洗剤容器を有する把持部と、前記洗剤容器から洗剤を吐出させるディスペンサーとを備えるものであるから、洗剤を噴霧しながら摺洗作業ができる。摺洗体を直接握らないから、手が洗剤に触れず、摺洗体の寸法も制限されない。
【００５９】
また、前記把持部が摺洗体に着脱可能に連結される場合には、摺洗体の交換が可能であり、またそれぞれの単独使用も可能である。
【００６０】
例えば、前記把持部と摺洗体とが凸部と凹部とによる嵌合構造によって着脱可能となされている場合には、着脱を簡単に行える。
【００６１】
また、前記把持部と摺洗体とが面ファスナーによって着脱可能となされている場合にも、着脱を簡単に行える。
【００６２】
また、前把持部が、該把持部を受ける台座を介して摺洗体に取り付けられている場合には、付加機能の追加や多様な連結方法を選択することができる。
【００６３】
さらに、前記把持部と台座とが着脱可能に連結されている場合には、把持部と摺洗体を分離することができ、摺洗体の交換が可能であり、またそれぞれの単独使用も可能である。
【００６４】
例えば、前記把持部と台座とが凸部と凹部とによる嵌合構造によって着脱可能となされている場合には、着脱を簡単に行える。
【００６５】
また、前記台座と摺洗体とが着脱可能に連結されている場合には、把持部と摺洗体を分離することができ、摺洗体の交換が可能であり、またそれぞれの単独使用も可能である。
【００６６】
例えば、前記台座と摺洗体とが係止用部材を介して着脱可能となされている場合には、着脱を簡単に行える。
【００６７】
また、前記台座の上面に把持部を填め込む凹陥部が形成されている場合には、把持部と摺洗体とのずれを防止することができる。
【００６８】
前記ディスペンサーの吐出口が前記摺洗体の外周方向に向かって設けられている場合には、洗剤を噴霧したところを直ちに摺洗することができ、作業性が良い。
【００６９】
また、前記ディスペンサーは頭部の押し込みによって洗剤容器内を加圧し、洗剤を吐出させるプッシュ式である場合には、コンパクトである。
【００７０】
また、前記把持部に把手が設けられている場合には、摺洗の作業性が向上するとともに、洗剤容器の大きさが制限されない。
【図面の簡単な説明】
【図１】本発明の洗剤容器付摺洗具にかかる第１実施形態の連結状態を示す全体斜視図である。
【図２】図１の洗剤容器付摺洗具の分解状態を示す斜視図である。
【図３】図１の洗剤容器付摺洗具における台座であって、（Ａ）は平面図、（Ｂ）は側面図、（Ｃ）は底面図である。
【図４】図１の洗剤容器付摺洗具における摺洗体および係止用部材の斜視図である。
【図５】摺洗体に係止用部材を装着した状態を示す断面図である。
【図６】図１における６−６線断面図である。
【図７】図１における７−７線断面図である。
【図８】本発明の洗剤容器付摺洗具にかかる第２実施形態の連結状態を示す全体斜視図である。
【図９】図８の洗剤容器付摺洗具の分解状態を示す斜視図である。
【図１０】図８における１０−１０線断面図である。
【図１１】本発明の洗剤容器付摺洗具にかかる第３実施形態の連結状態を示す全体斜視図である。
【図１２】図１１の洗剤容器付摺洗具の分解状態を示す斜視図である。
【図１３】図１１における１３−１３線断面図である。
【符号の説明】
１，２，３…洗剤容器付摺洗具
１０…把持部
１１…洗剤容器
１２…把手
１４…突起（凸部）
２０…ディスペンサー
２３…吐出口
３０…台座
３１…基板
３３，６４…凹陥部
３４…第１係止部
３５…係止用空間（凹部）
４３…第２係止部
４４…係止孔（孔）
５０，６０，７０…摺洗体
５３…取り付け用孔（孔）
５５…係止用部材
５６…軸部
５７，５８…フランジ
６５，７４…貫通孔（凹部）
【図１】
2005006701.tif 000003
【図２】
2005006701.tif 000004
【図３】
2005006701.tif 000005
【図４】
2005006701.tif 000006
【図５】
2005006701.tif 000007
【図６】
2005006701.tif 000008
【図７】
2005006701.tif 000009
【図８】
2005006701.tif 000010
【図９】
2005006701.tif 000011
【図１０】
2005006701.tif 000012
【図１１】
2005006701.tif 000013
【図１２】
2005006701.tif 000014
【図１３】
2005006701.tif 000015